(57)【要約】      （修正有）【課題】薄型かつ組立作業性の良好なバリアングルＬＣＤユニットを持つ撮像装置を提供する。【解決手段】装置本体に対して、ヒンジユニットを介して開閉可能に設けられた略平板状の画像表示装置を有する撮像装置であって、画像表示面を構成する第一の外装２、背面側を構成する第二の外装６、第一及び第二の外装に内包されるフレームとで構成される。第一及び第二の外装は画像表示装置の側面部において第二の外装が内側に来るように重なる立ち壁を有し、フレームは第一の外装の立ち壁の内壁に対して突き当たることで第一の外装に対する水平方向の位置が規制される複数の腕部３１１を有しており、なおかつフレームは第二の外装の立ち壁の内壁対して突き当たることで第二の外装に対する水平方向の位置が規制される複数の第二の腕部３１３、３１７を有し、第一の腕部によって行われる位置規制は、第二の腕部によって行われる位置規制よりも隙間を持っている。【選択図】図４
2014023078.tif 000002
【特許請求の範囲】
【請求項１】
装置本体（１）に対して、回動可能な機構部（以下ヒンジユニット）（５）を介して回動可能に設けられた平板状の画像表示装置（１０）を有する撮像装置であって、前記画像表示装置（１０）は少なくとも画像表示面を構成する第一の外装部材（２）、背面側を構成する第二の外装（６）、前記第一及び第二の外装ユニットに内包されるフレーム（３）とで構成され、前記第一及び第二の外装は前記画像表示装置の側面部において第二の外装が内側に来るように重なる立ち壁（２１４、６０１）を有し、前記フレームは前記第一の外装の立ち壁の内壁に対して突き当たることで前記第一の外装に対する水平方向の位置が規制される複数の第一の腕部（３１１）を有しており、なおかつ前記フレームは前記第二の外装の立ち壁の内壁対して突き当たることで前記第二の外装に対する水平方向の位置が規制される複数の第二の腕部（３１３、３１７）を有し、前記第一の腕部によって行われる位置規制は、前記第二の腕部によって行われる位置規制よりも隙間を持って成されていることを特徴とする撮像装置。
【請求項２】
前記フレームは第一の外装の画像表示面側の内壁に当接することで、第一の外装の画像表示面に対する奥行方向の位置を規制する複数の脚部（３１２）を有することを特徴とする請求項１に記載の撮像装置。
【請求項３】
前記ヒンジユニットは前記第一の外装、第二の外装、フレームを固定することのできるヒンジ回転軸に垂直な板形状のユニット固定板（５３）を有しており、また前記第二の腕部の中には画像表示装置のヒンジ取り付け側の側面に平行な面を有す複数の第三の腕部（３１３）が含まれており、また前記フレームは前記ユニット固定板と同一幅を持って第三の腕部に対向する面を形成する複数の第四の腕部（３１４）を有し、また前記ユニット固定板が、前記第三の腕部と前記第四の腕部の対向面の間に組み込まれた時に、前記ユニット固定板上の画像表示面側の側面（５３１）と突き当たることで前記ヒンジユニットの画像表示装置の奥行方向の位置を規制する第一の腕部形状（３１６）及び、前記ユニット固定板上の画像表示面の縦方向に位置する側面（５３４）と突き当たることで前記ヒンジユニットの画像表示装置の縦方向の位置を規制する第二の腕部形状（３１５）を有することを特徴とする請求項１又は請求項２に記載の撮像装置。
【請求項４】
前記第二の外装は前記ユニット固定板と嵌合することで前記第二の外装に対する前記ヒンジユニットの位置を規制するヒンジユニット保持部（６０２）を有し、前記第三の腕部、第四の腕部、第一の腕部形状、第二の腕部形状と前記ユニット固定板によって行われる位置規制は、前記ヒンジユニット保持部と前記ユニット固定板によって行われる位置規制よりも隙間を持って成されていることを特徴とする請求項３に記載の撮像装置。
【発明の詳細な説明】
【技術分野】
【０００１】
本発明は、開閉動作及び回転動作可能な画像表示部を有する撮像装置に関し、特に画像表示部の構造に関するものである。
【背景技術】
【０００２】
デジタルカメラやビデオカメラ等の撮像装置では、通常、撮像された画像を表示する為のＬＣＤ等の表示モジュールによる画像表示部を搭載している。また、このような撮像装置には、特許文献１のように撮像装置本体に対して開閉操作及び回転操作が可能なように装着され、使用時に見やすい角度に向けることができるバリアングル画像表示装置を搭載したものが提案されている。
【０００３】
また、特許文献２では表示モジュールとしてガラス等の表示保護板とＬＣＤ等の表示パネルを密着、一体化させた表示モジュールが紹介されている。そしてこの保護板が一体型された表示モジュールの保持構造として、保護板がフランジ形状を有し、保護板の大きさと略同一の開口窓を有する外装カバーの非外観面側に保護板のフランジ面を固着させる構造が提案されている。
【先行技術文献】
【特許文献】
【０００４】
【特許文献１】特開２０１１−３５８２９号公報
【特許文献２】特開２０１１−３９４２２号公報
【発明の概要】
【発明が解決しようとする課題】
【０００５】
前述した特許文献１で紹介した代表的なバリアングル画像表示装置は、表示モジュール周りの外装カバーは樹脂で成型されたものが一般的であった。これらの外装カバーの内側には回転機構をつかさどるヒンジや、出力する画像の制御を行う基板と一体化された内蔵フレームの保持構造を有しており、組立時には外装カバーにこれらの部品を組み付けてから、フレキシブル基板やハーネスで、基板と表示モジュールの電気的な接続を行っていた。
【０００６】
近年ではこれらのバリアングル画像表示装置の中にも小型化等を目的として、特許文献２で紹介した、保護板が一体化された画像表示モジュールを採用したものがある。この場合、保護板と画像表示モジュールの間に空間が必要ないため、画像表示装置の厚みを抑えるのに有効である。
【０００７】
この時、画像表示モジュールを固着させる外装カバーは表示保護板のフランジを貼り付ける箇所の厚み薄く、かつ高強度であることが望まれるため、金属板のプレス加工で成型されることが一般的である。外装部品の外観形状を金属板のプレス加工で成型した場合、同時に内部に内蔵部品の保持構造のような複雑な構造を持たせることは困難である。一方で画像表示面の背面側の外装カバーに内蔵部品を保持させる構成にすると、画像表示モジュールと基板を、フレキシブル基板で接続する作業の作業性が著しく悪化する。
【０００８】
このため、外装カバーに対して位置が決まり、ヒンジや基板と一体化された内蔵フレームの保持構造を持った保持構造部品を追加する必要があった。
【０００９】
しかしながら、保持構造部品の追加は小型化、低コストに対し不利であるといった問題があった。
【００１０】
本発明の目的は、この問題を解決し小型かつ低コスト、組立作業性の良好なバリアングルＬＣＤユニットを有する撮像装置を提供することである。
【課題を解決するための手段】
【００１１】
上記目的を達成するために、本発明が提供する撮像装置は、装置本体に対して、ヒンジユニットを介して開閉可能に設けられた略平板状の画像表示装置し、前記画像表示装置は少なくとも画像表示面を構成する第一の外装、背面側を構成する第二の外装、前記第一及び第二の外装に内包されるフレームとで構成され、前記第一及び第二の外装は前記画像表示装置の側面部において第二の外装が内側に来るように重なる立ち壁を有し、前記フレームは前記第一の外装の立ち壁の内壁対して突き当たることで前記第一の外装に対する水平方向の位置が規制される複数の腕部を有しており、なおかつ前記フレームは前記第二の外装の立ち壁の内壁対して突き当たることで前記第二の外装に対する水平方向の位置が規制される複数の第二の腕部を有し、前記第一の腕部によって行われる位置規制は、前記第二の腕部によって行われる位置規制よりも隙間を持って成されていることを特徴とする。
【発明の効果】
【００１２】
本発明によれば、薄型かつ組立作業性の良好なバリアングルＬＣＤユニットを持つ撮像装置を提供することできる。
【図面の簡単な説明】
【００１３】
【図１】本発明の実施形態にかかわるバリアングルＬＣＤ
【図２（ａ）】本発明の実施形態にかかわるバリアングルＬＣＤの分解斜視図（その１）
【図２（ｂ）】本発明の実施形態にかかわるバリアングルＬＣＤの分解斜視図（その２）
【図３】本発明の実施形態にかかわるバリアングルＬＣＤの組み立て途中状態の図
【図４】本発明の実施形態にかかわるバリアングルＬＣＤの分解斜視図
【発明を実施するための形態】
【００１４】
以下に、本発明の好ましい実施の形態を、添付の図面に基づいて詳細に説明する。
【００１５】
図１は本発明の実施形態にかかわるバリアングルＬＣＤの図である。
【００１６】
略平板状の画像表示装置１０の片面には略矩形の画像表示面１１が配置されており、装置使用者は内蔵されているＬＣＤに表示された画像を視認することができる。また、画像表示装置１０は本体左辺側側面にＡ軸方向及びＢ軸方向の２軸の回転軸を持つ２軸回転ヒンジ５を取り付いている。画像表示装置１０は撮像装置筐体１に対して２軸回転ヒンジ５の両端に配置された本体固定部５２にてビスにより固定される。
【００１７】
以上の構成により画像表示装置１０は撮像装置本体１に対して図中のＡ軸を回転中心とした開閉操作及びＢ軸を中心とした回転操作が可能となっている。
【００１８】
尚、本発明においては回転ヒンジは２軸回転ヒンジに限るものではなく、Ａ軸もしくはＢ軸のみ回動可能な１軸回転ヒンジであってもよい。
【００１９】
尚、以下の本発明の実施形態の説明のために画像表示装置１０の方向を図１のように画像表示面１１を仕様者が正面に捉えた時の上下左右として規定した。
【００２０】
図２（ａ）、（ｂ）は、本発明の実施形態にかかわるバリアングルＬＣＤをそれぞれ違う角度から見た分解斜視図である。
【００２１】
画像表示側外装２１は金属板のプレス加工で成型され、中央に画像表示用の開口部２１３を有し四辺において立ち壁２１４を有した形状である。画像表示モジュール４は透明材料で作られたＬＣＤ保護板４２とＬＣＤ４１が一体化した物である。略矩形のＬＣＤ保護板４２は外周にフランジ形状４２１を有しており、フランジ形状の上面と画像表示側外装２１の開口部２１３周囲の内壁が両面テープ２２によって貼り合わせることで、画像表示側外装ユニット２が構成される。この時、ＬＣＤ保護板４２のフランジ形状４２１よりも凸した部分の上面が開口部２１３から露出する構成になっている。
【００２２】
背面側外装６は樹脂材料で成型されており、画像表示装置１０の側面で防塵防滴構造となるように、画像表示側外装２１の立ち壁２１４と重なるような立ち壁６０１を有している。この防塵防滴構造は背面側外装６の立ち壁６０１が壁２１４よりも内側に来るように作られている。
【００２３】
内蔵フレーム３１は金属板のプレス加工で成型されている。不図示の電子部品を実装した基板３２がビス７４で内蔵フレーム３１に固定され、内蔵フレームユニット３を構成する。
【００２４】
内蔵フレーム３１は画像表示装置１０の右辺側に伸びる腕部３１７と、上辺側、下辺側に伸びる腕部３１８を有している。それぞれの腕部には先端が画像表示装置１０の側面に平行になるように立ち曲げが設けられており、立ち曲げ部の中央にはビス穴が配置されている。画面表示側外装ユニット２及び、背面側外装６はそれぞれの立ち壁２１４、６０１に配置された穴部２１５、６０４を介してビス７２により腕部３１７、３１８に固定される。
【００２５】
２軸回転ヒンジ５はＬＣＤ４１と撮像装置本体を電気的に接続するハーネス５１を内蔵している。また、２軸回転ヒンジ５の先端には画像表示装置１０の他のユニットを固定するユニット固定板５３を有している。
【００２６】
ユニット固定板５３はビス穴５３２、５３３を有している。画像表示側外装ユニット２及び背面側外装６はビス７１が立ち壁２１４の左辺側に配置された穴部２１６と、立ち壁６０１の左辺側に配置された穴部６０５を介してビス穴５３２に留まることによってユニット固定板５３に固定される。
【００２７】
ここで、内蔵フレーム３１は左辺側に伸びる腕部３１３を有しており、その先端は画像表示ユニット１０の左辺側側面と平行になるように立ち曲げられ、立ち曲げられた面には穴部３１９が配置されている。
【００２８】
背面側外装６及び内蔵フレームユニット３はビス７３が立ち壁６０１の左辺側に配置された穴部６０６と、腕部３１３に配置された穴部３１９を介してビス穴５３３に留まることによって、ユニット固定板５３に固定される。
【００２９】
図３は組立時に画面表示側外装ユニット２に内蔵フレームユニット３及び２軸回転ヒンジ５を組んだ状態の図である。この状態で画像表示モジュール４から出ているフレキシブル基板４３と、２軸回転ヒンジ５から出ているハーネス５１は不図示のコネクターを介して基板３２に電気的に接続される。
【００３０】
内蔵フレーム３１は画像表示装置１０の上辺、下辺、左辺に向かって伸びる複数の腕部３１１を有しており、この腕部３１１と腕部３１８と画像表示側外装２１の立ち壁２１４の内壁に対し略つき当てることにより、内蔵フレームユニット３と画像表示側外装ユニット２との上下左右方向の位置がずれないように位置規制が行われている。腕部３１１は背面側外装６を組んだ時に、立ち壁６０１が腕部３１１を避ける切欠き形状６０７が大きくならないように、内蔵フレーム３から画像表示側に向かう曲げ部を有するクランク形状になっている。
【００３１】
また、内蔵フレーム３１の端に設けられ、画像表示側に向かって伸びる複数の脚部３１２が、画像表示側外装２１の画像表示面内壁に突き当たることによって、内蔵フレームユニット３の画像表示側外装ユニット２に対する高さ方向の位置が決まるようになっている。
【００３２】
２軸回転ヒンジ５のユニット固定板５３は、組立時において内蔵フレーム３１に組み込まれると、内蔵フレーム３１の腕部３１３の画像表示装置１０の左辺側側面に平行な先端部分と、同じく内蔵フレーム３１の左辺側に配置され、画像表示装置１０の左辺側側面に平行になるように立ち曲げられた腕部形状３１４挟まれて、内蔵フレームユニット３に対して左右方向の位置が規制される。また、ユニット固定板５３の両端に設けられた切欠き形状によって生じた固定板側面５３１が、腕部３１３の折り曲げによって出来た画像表示面と平行な腕部形状３１５につき当り、ユニット固定板５３の内蔵フレームユニット３に対する高さ方向の位置が規制される。同時に、同じく切欠き形状によって生じた固定板側面５３４が、腕部３１３の腕部形状３１５の内側の側面３１６に略突き当たるように配置され、ユニット固定板５３の内蔵フレームユニット３に対する上下方向の位置が規制される。
【００３３】
以上の構成により、２軸回転ヒンジ５を内蔵フレームユニット３に対して位置を決めることができる。
【００３４】
以上の位置規制の中で画像表示面に対して水平方向であるものは、組立作業性を向上させるための仮の位置固定であり、所定のクリアランスを持ってなされている。図３の状態から背面側外装６を組む時に、ユニット固定板５３が背面側外装６上の固定板嵌合部６０２と嵌合することで、完全な位置決めがされる。また、内蔵フレームユニット３は内蔵フレーム３１の腕部３１３と腕部３１７がそれぞれ背面側外装６の立ち壁６０１の内壁面に当接することにより、完全な位置決めがされる。
【００３５】
以上、本発明の好ましい実施形態について説明したが、本発明はこれらの実施形態に限定されず、その要旨の範囲内で種々の変形及び変更が可能である。
【符号の説明】
【００３６】
１  撮像装置
２  画像表示側外装ユニット
３  内蔵フレームユニット
５  ２軸回転ヒンジ
６  背面側外装
１０  画像表示装置
５３  ユニット固定板
３１１  腕部
３１２  脚部
３１３  腕部
３１７  腕部
６０２  固定板嵌合部
【図１】
2014023078.tif 000003
【図２（ａ）】
2014023078.tif 000004
【図２（ｂ）】
2014023078.tif 000005
【図３】
2014023078.tif 000006
【図４】
2014023078.tif 000007